(57)【要約】【課題】本発明は、インピーダンスを向上させ、かつインピーダンスを調整することが容易なコモンモードノイズフィルタを提供することを目的とするものである。【解決手段】本発明のコモンモードノイズフィルタは、第１の導体１２と第２の導体１３とを第２の絶縁層１１ｂに形成された第１のビア電極１６ａで接続し、かつ第３の導体１４と第４の導体１５とを第４の絶縁層１１ｄに形成された第２のビア電極１６ｂで接続し、さらに少なくとも第３の絶縁層１１ｃを非磁性体で構成するとともに、前記第３の絶縁層１１ｃにおいて前記第２の導体１３、第３の導体１４の内側に磁性材料からなる磁性体部１７を２つ設け、上面視にて前記２つの磁性体部１７の間に第１のビア電極１６ａ、第２のビア電極１６ｂが位置するようにしたものである。【選択図】図１
2011176165.tif 000002
【特許請求の範囲】
【請求項１】
第１の絶縁層の上面に設けられた第１の導体と、前記第１の導体の上面に設けられた第２の絶縁層と、前記第２の絶縁層の上面に設けられかつ前記第１の導体に接続されたスパイラル状の第２の導体と、前記第２の導体の上面に設けられた第３の絶縁層と、前記第３の絶縁層の上面に設けられたスパイラル状の第３の導体と、前記第３の導体の上面に設けられた第４の絶縁層と、前記第４の絶縁層の上面に設けられかつ前記第３の導体に接続された第４の導体とを備え、前記第１の導体と前記第２の導体とを前記第２の絶縁層に形成された第１のビア電極で接続し、かつ前記第３の導体と前記第４の導体とを前記第４の絶縁層に形成された第２のビア電極で接続し、さらに少なくとも前記第３の絶縁層を非磁性体で構成するとともに、前記第３の絶縁層において前記第２の導体、第３の導体の内側に磁性材料からなる磁性体部を２つ設け、上面視にて前記２つの磁性体部の間に第１のビア電極、第２のビア電極が位置するようにしたコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図５に示すように、非磁性層１に形成された２つのコイル２、３と、この２つのコイル２、３の上下に形成された磁性層４とを備え、２つのコイル２、３は、それぞれ渦巻状の導体２ａ、３ａと、この導体２ａ、３ａに接続された引出用導体２ｂ、３ｂとで構成されていた。そして、コイル２、３の渦巻きの内側部分におけるそれぞれの非磁性層１には、磁性材料を非磁性層１の貫通孔に充填することによって得られた磁性体部５が１つ形成されていた。
【０００３】
なお、この出願の発明に関する先行技術文献情報としては、例えば、特許文献１が知られている。
【先行技術文献】
【特許文献】
【０００４】
【特許文献１】特開２００１−７６９３０号公報
【発明の概要】
【発明が解決しようとする課題】
【０００５】
上記した従来のコモンモードノイズフィルタは、インピーダンスを向上させ、かつインピーダンスを調整するのが容易ではないという課題を有していた。
【０００６】
すなわち、インピーダンスを向上させるために磁性体部５の大きさを大きくすれば、磁性材料が貫通孔から脱落したり、熱収縮率の違いから焼成時に磁性体部５周辺にクラックが生じたりして不具合が発生し、また、磁性体部５の大きさを大きくすれば渦巻状の導体２ａ、３ａの内側部分の大部分を磁性体部５が占めることになるため、導体２ａ、３ａの巻き数を多くしてその長さを長くすることは困難になり、インピーダンスを調整することができない。さらに、渦巻状の導体２ａ、３ａの巻き数を多くできたとしても、導体２ａ、３ａの巻き数は１ターン毎でしか変えることができないため、インピーダンスの微調整ができないからである。
【０００７】
本発明は上記従来の課題を解決するもので、インピーダンスを向上させ、かつインピーダンスを調整することが容易なコモンモードノイズフィルタを提供することを目的とするものである。
【課題を解決するための手段】
【０００８】
上記目的を達成するために、本発明は以下の構成を有するものである。
【０００９】
本発明の請求項１に記載の発明は、第１の絶縁層の上面に設けられた第１の導体と、前記第１の導体の上面に設けられた第２の絶縁層と、前記第２の絶縁層の上面に設けられかつ前記第１の導体に接続されたスパイラル状の第２の導体と、前記第２の導体の上面に設けられた第３の絶縁層と、前記第３の絶縁層の上面に設けられたスパイラル状の第３の導体と、前記第３の導体の上面に設けられた第４の絶縁層と、前記第４の絶縁層の上面に設けられかつ前記第３の導体に接続された第４の導体とを備え、前記第１の導体と前記第２の導体とを前記第２の絶縁層に形成された第１のビア電極で接続し、かつ前記第３の導体と前記第４の導体とを前記第４の絶縁層に形成された第２のビア電極で接続し、さらに少なくとも前記第３の絶縁層を非磁性体で構成するとともに、前記第３の絶縁層において前記第２の導体、第３の導体の内側に磁性材料からなる磁性体部を２つ設け、上面視にて前記２つの磁性体部の間に第１のビア電極、第２のビア電極が位置するようにしたもので、この構成によれば、１つの磁性体部の大きさを大きくする必要はないため、磁性材料が脱落したり、熱収縮率の違いによって焼成時に磁性体部周辺にクラックが発生したりすることはなく、これにより、この２つの磁性体部全体としての面積を大きくすることができるため、インピーダンスを向上させることができる。さらに、第２の導体、第３の導体の長さを変える場合、２つの磁性体部のうち一方のみの周囲を周回するようにするだけでよいため、巻き数を約０．５ターン毎で変えてその長さを長くすることができ、これにより、インピーダンスを容易に調整できるという作用効果が得られるものである。
【発明の効果】
【００１０】
以上のように本発明のコモンモードノイズフィルタは、非磁性体で構成された第３の絶縁層において第２の導体、第３の導体の内側に磁性材料からなる磁性体部を２つ設け、上面視にて前記２つの磁性体部の間に第１のビア電極、第２のビア電極が位置するようにしているため、１つの磁性体部の大きさを大きくする必要はなく、これにより、磁性材料が脱落したり、熱収縮率の違いによって焼成時に磁性体部周辺にクラックが発生したりすることはないため、この２つの磁性体部全体としての面積を大きくすることができ、これにより、インピーダンスを向上させることができる。さらに、第２の導体、第３の導体の長さを変えるとき、２つの磁性体部のうち一方のみの周囲を周回するようにするだけでよいため、巻き数を約０．５ターン毎で変えてその長さを長くすることができ、これにより、インピーダンスを容易に調整できるという優れた効果を奏するものである。
【図面の簡単な説明】
【００１１】
【図１】本発明の一実施の形態におけるコモンモードノイズフィルタの分解斜視図
【図２】同コモンモードノイズフィルタの透過上面図
【図３】同コモンモードノイズフィルタの斜視図
【図４】同コモンモードノイズフィルタの第２の導体、第３の導体の長さを変えたときの透過上面図
【図５】従来のコモンモードノイズフィルタの分解斜視図
【発明を実施するための形態】
【００１２】
以下、本発明の一実施の形態におけるコモンモードノイズフィルタについて、図面を参照しながら説明する。
【００１３】
図１は本発明の一実施の形態におけるコモンモードノイズフィルタの分解斜視図、図２は同コモンモードノイズフィルタの透過上面図、図３は同コモンモードノイズフィルタの斜視図である。
【００１４】
本発明の一実施の形態におけるコモンモードノイズフィルタは、図１〜図３に示すように、第１の絶縁層１１ａの上面に設けられた第１の導体１２と、前記第１の導体１２の上面に設けられた第２の絶縁層１１ｂと、前記第２の絶縁層１１ｂの上面に設けられかつ前記第１の導体１２に接続された渦巻状の第２の導体１３と、前記第２の導体１３の上面に設けられた第３の絶縁層１１ｃと、前記第３の絶縁層１１ｃの上面に設けられた渦巻状の第３の導体１４と、前記第３の導体１４の上面に設けられた第４の絶縁層１１ｄと、前記第４の絶縁層１１ｄの上面に設けられかつ前記第３の導体１４に接続された第４の導体１５とを備えている。そして、前記第１の導体１２と前記第２の導体１３とを前記第２の絶縁層１１ｂに形成された第１のビア電極１６ａで接続し、かつ前記第３の導体１４と前記第４の導体１５とを前記第４の絶縁層１１ｄに形成された第２のビア電極１６ｂで接続している。さらに、前記第２〜第４の絶縁層１１ｂ〜１１ｄを非磁性体で構成するとともに、前記第２〜第４の絶縁層１１ｂ〜１１ｄにおいて前記第２の導体１３、第３の導体１４の内側に磁性材料からなる磁性体部１７を２つ設け、かつ上面視にて前記２つの磁性体部１７の間に第１のビア電極１６ａ、第２のビア電極１６ｂが位置するようにしている。そしてさらに、第４の導体１５の上面には磁性材料で構成されたダミー絶縁層１１ｅが形成されている。
【００１５】
また、上記した構成により積層体１８が形成され、この積層体の両側部にはそれぞれ一対の外部電極１９が形成されている。
【００１６】
上記構成において、前記第１〜第４の絶縁層１１ａ〜１１ｄは、下から順に積層されている。また、第１の絶縁層１１ａはＮｉ−Ｃｕ−Ｚｎフェライトからなる磁性材料で構成され、第２〜第４の絶縁層１１ｂ〜１１ｄはガラスセラミック等のガラスを含有しかつ第１の絶縁層１１ａよりも透磁率の低い低透磁率材料、またはＣｕ−Ｚｎフェライトからなる非磁性材料により構成されている。さらに、第２、第４の絶縁層１１ｂ、１１ｄの所定位置には、それぞれ第１のビア電極１６ａ、第２のビア電極１６ｂが設けられている。この第１のビア電極１６ａ、第２のビア電極１６ｂは、貫通孔にＡｇを充填して形成される。
【００１７】
また、前記第１〜第４の導体１２〜１５は、銀などの導電材料をめっきすることにより形成される。そして、第１、第４の導体１２、１５は直線状に形成され、第２、第３の導体１３、１４は渦巻状に形成されている。さらに、第１の導体１２と第２の導体１３とは第１のビア電極１６ａを介して接続されて１つの独立した第１のコイル２０を構成し、第３の導体１４と第４の導体１５とは第２のビア電極１６ｂを介して接続されて他の独立した第２のコイル２１を構成している。さらに、これら２つのコイル２０、２１の両端部（第１〜第４の導体１２〜１５それぞれの一端部）は、一対の外部電極１９と接続されている。なお、第２、第３の導体１３、１４の形状は渦巻状ではなく螺旋状でもよい。また、図１、図２では、第２、第３の導体１３、１４は略方形になっているが、略円形や略楕円形でもよい。
【００１８】
そしてまた、渦巻状の第２の導体１３と第３の導体１４とは、外部電極１９との接続部近傍を除き、第３の絶縁層１１ｃを介して上面視にて略重なっている。さらに、第１のビア電極１６ａと第２のビア電極１６ｂとも、上面視にて略重なっている。なお、図２と後述する図４では、第１の導体１２と第２の導体１３を、第３の導体１４、第４の導体１５より上方になるように表している。
【００１９】
また、前記第１のビア電極１６ａ、第２のビア電極１６ｂは、渦巻状の第２、第３の導体１３、１４の内側、すなわち第２、第３の導体１３、１４の最も内側に位置する部分のさらに内側の領域において、上面視にて略中央部に形成されている。そして、この領域において、上面視にて第１のビア電極１６ａ、第２のビア電極１６ｂが位置する部分を挟んで２つの磁性体部１７が形成されている。このとき、２つの磁性体部１７は、上面視にて第１のビア電極１６ａ、第２のビア電極１６ｂが位置する部分に対して点対称な位置に形成されている。
【００２０】
さらに、前記２つの磁性体部１７は、第２〜第４の絶縁層１１ｂ〜１１ｄのそれぞれに貫通孔を２箇所設け、この貫通孔に磁性材料を充填させることにより形成する。このとき、磁性体部１７と磁性材料で構成された第１の絶縁層１１ａ、ダミー絶縁層１１ｅとが接続される。この構成により、コイル２０、２１間の磁気結合を強くできる。
【００２１】
そして、前記一対の外部電極１９は、積層体１８の両側部に銀を印刷することにより形成する。さらに、一対の外部電極１９の表面には、ニッケルめっき層、およびこのニッケルめっき層の表面のすずやはんだ等の低融点金属めっき層で構成されためっき層が形成されている。
【００２２】
なお、第１〜第４の絶縁層１１ａ〜１１ｄ、ダミー絶縁層１１ｅは、図１に示された枚数や厚さと異なる枚数、厚さでもよい。また、第３の絶縁層１１ｃのみを低透磁率材料または非磁性材料で構成し、第２、第４の絶縁層１１ｂ、１１ｄを磁性材料で構成してもよい。この場合、第２、第４の絶縁層１１ｂ、１１ｄには第１のビア電極１６ａ、第２のビア電極１６ｂと磁性体部１７とを別々に形成しなくてもよくなるため、生産性が向上する。さらに、前記第１〜第４の導体１２〜１５は、めっきで形成するのではなく、その他の印刷や蒸着等の方法で形成してもよい。
【００２３】
上記したように本発明の一実施の形態においては、非磁性体で構成された第２〜第４の絶縁層１１ｂ〜１１ｄにおいて第２の導体１３、第３の導体１４の内側に磁性材料からなる磁性体部１７を２つ設け、上面視にて前記２つの磁性体部１７の間に第１のビア電極１６ａ、第２のビア電極１６ｂが位置するようにしているため、１つの磁性体部１７の大きさを大きくする必要はなく、これにより、磁性材料が貫通孔から脱落したり、熱収縮率の違いによって焼成時に磁性体部１７周辺にクラックが発生したりすることはないため、この２つの磁性体部１７全体としての面積を大きくすることができ、これにより、インピーダンスを向上させることができるという効果が得られるものである。
【００２４】
さらに、第２の導体１３、第３の導体１４の長さを変える場合、図４の破線に示すように、２つの磁性体部１７全体ではなく、２つの磁性体部１７のうち一方のみの周囲を周回するようにするだけでよいため、巻き数を約０．５ターン毎で変えてその長さを長くすることができ、これにより、インピーダンスを容易に調整できるという効果も得られる。そして、巻き数を約０．５ターン毎で変えることができるため、必要以上に直流抵抗値が高くなって損失が大きくなるようなことも防止できる。
【００２５】
すなわち、磁性体部１７が第２の導体１３、第３の導体１４の内側部分の大部分を占めることはなくなり、第２の導体１３、第３の導体１４の巻き数を調整できるため、インピーダンスを調整することができる。
【００２６】
また、インピーダンスを調整するために、磁性体部１７の大きさではなく第２の導体１３、第３の導体１４の巻き数を調整しているだけであるため、品種ごとに磁性体部１７の大きさの異なる第１〜第４の絶縁層１１ａ〜１１ｄを用意する必要はない。
【００２７】
ここで、磁性体部１７は、単に複数設ければよいというものではなく、本発明のように、上面視にて第１のビア電極１６ａ、第２のビア電極１６ｂが位置する部分を挟むように配置することによって、上記したように、第２の導体１３、第３の導体１４が２つの磁性体部１７のうち一方のみの周囲を周回するようにさせることができるため、巻き数を約０．５ターン毎で変えることができる。さらに、第１のビア電極１６ａ、第２のビア電極１６ｂが位置する部分に対して点対称な位置に磁性体部１７を配置することによって、巻き数をちょうど０．５ターン毎で変えることができる。
【００２８】
なお、１つの磁性体部１７を２つ以上に分割してもよい。このとき、上面視にて第１のビア電極１６ａ、第２のビア電極１６ｂが位置する部分を挟んでそれぞれの磁性体部１７を一対設けるようにする。
【産業上の利用可能性】
【００２９】
本発明に係るコモンモードノイズフィルタは、インピーダンスを向上させ、かつインピーダンスを調整することが容易になるという効果を有するものであり、特にデジタル機器やＡＶ機器、情報通信端末等の各種電子機器のノイズ対策として使用されるコモンモードノイズフィルタ等において有用となるものである。
【符号の説明】
【００３０】
１１ａ〜１１ｄ  第１〜第４の絶縁層
１２  第１の導体
１３  第２の導体
１４  第３の導体
１５  第４の導体
１６ａ、１６ｂ  第１、第２のビア電極
１７  磁性体部
【図１】
2011176165.tif 000003
【図２】
2011176165.tif 000004
【図３】
2011176165.tif 000005
【図４】
2011176165.tif 000006
【図５】
2011176165.tif 000007